Podtech/llm-jp-corpus-v4-ja_patent huggingface dataset:
(57)【要約】      （修正有）【課題】プラスチック材からなる容器は発熱性物質除去および滅菌に広く汎用される高温の加熱処理が困難なため、容易に加熱処理が出来るガラス材の容器にビスホスホネート成分を保存する注射溶液の提供。【解決手段】少なくとも１つのビスホスホネート成分および非イオン性界面活性剤であるポリソルベート８０を含有し、ガラス容器に保存するビスホスホネート溶液注射剤。【選択図】なし【特許請求の範囲】
【請求項１】
ビスホスホネート溶液を含むガラス材の容器からなる溶液の形態の医薬製剤。
【請求項２】
前記ビスホスホネートがゾレドロン酸である、請求項１に記載の製剤。
【請求項３】
緩衝剤および非イオン性界面活性剤を含んでなる請求項１に記載の製剤。
【請求項４】
前記非イオン性界面活性剤がポリソルベート８０である、請求項２に記載の製剤。
【請求項５】
前記ポリソルベート８０がゾレドロン酸に対して１％〜５％を含んでなる請求項１に記載の製剤。
【発明の詳細な説明】
【技術分野】
【０００１】  ビスホスホネート溶液を含むガラス材の容器からなる医薬製剤であって、注射溶液を提供する。
【背景技術】
【０００２】  ビスホスホネートは破骨細胞性骨吸収阻害作用を有していることが知られており、種々の骨吸収異常を伴う疾患の治療に用いられている。
【先行技術文献】
【特許文献】
【０００３】
【特許文献１】特表２００７−５０５８６１号公報
【発明の概要】
【発明が解決しようとする課題】
【０００４】  例えば、ビスホスホネートが悪性腫瘍による高カルシウム血症および多発性骨髄腫の処置のために採られる投与形態は、静脈注射溶液である。
しかしながら、ビスホスホネート溶液は、化学的に安定であるが、二価および多価陽イオンと反応し、またガラス中のシリコンと反応し不溶性の沈殿を形成することが知られている。さらに、標準的なガラス容器ではかなりの量の二価および多価イオンが浸出されることが示されていることから、ビスホスホネート溶液製剤のガラス容器での長期保存は不可能とされている。従って、当該製剤はプラスチック材からなる容器中で保存されているのが現状である。また、プラスチック材からなる容器は発熱性物質除去および滅菌に広く汎用される高温の加熱処理が困難なため容易に加熱処理が出来るガラス容器が求められる。
【課題を解決するための手段】
【０００５】  本発明は、溶液注射剤の形態で提供される、少なくとも１つのビスホスホネート成分および溶解補助剤を含有し、ビスホスホネート溶液注射剤を発熱性物質を除去したガラス容器で安定に長期貯蔵することに成功した。【０００６】  本発明は、ビスホスホネート溶液製剤に少量の非イオン性界面活性剤を添加することによりガラス容器中で微粒子生成を抑制することを可能にした。
非イオン性界面活性剤は、好ましくはポリソルベート８０である。【０００７】  本発明の使用に最も好ましいビスホスホネートは、２−（イミダゾール−１−イル）−１−ヒドロキシエタン−１，１−ジホスホン酸（ゾレドロン酸）又はその塩である。
【発明の効果】
【０００８】  ビスホスホネート溶液注射剤が、汎用されているガラスバイアル中で安定に長期貯蔵することが可能となる。
【発明を実施するための形態】
【０００９】  ビスホスホネート注射溶液製剤
【実施例】
【００１０】  実施例１：ゾレドロン酸  ４ｍｇ／４ｍＬ
【表１】
2013056875.tif 000002
【００１１】  注射用水の全量の約９０％を、ステンレススチール配合容器に充填する。緩衝剤であるクエン酸及びクエン酸ナトリウムを撹拌下で加え、溶解する。更に溶解剤であるポリソルベート８０水溶液を別途調製し混和する。製剤原料であるゾレドロン酸を撹拌下で加え、溶解する。その液をｐＨ調整剤であるクエン酸ナトリウム水溶液にて、ｐＨ６．３に調整する。調製液を注射用水で最終容量に調整する。バルク溶液を、０．２μｍ孔サイズのフィルターを通し充填する。洗浄および乾燥したガラスバイアルにバルク溶液を充填する。滅菌したＨｅｌｖｏｅｔ社のＦＭ２５９／オムニフレックスプラスでコートした栓をバイアルにはめこみ、その栓をしたガラスバイアルをアルミニウムキャップでシールする。
前記生成物は、４０℃／７５％ＲＨ（相対湿度）の条件下で安定である。【００１２】
【表２】
2013056875.tif 000003
【００１３】  実施例２：ゾレドロン酸  ４ｍｇ／４ｍＬ
【表３】
2013056875.tif 000004
【００１４】  注射用水の全量の約９０％を、ステンレススチール配合容器に充填する。緩衝剤であるクエン酸及びクエン酸ナトリウムを撹拌下で加え、溶解する。更に溶解剤であるポリソルベート８０水溶液を別途調製し混和する。製剤原料であるゾレドロン酸を撹拌下で加え、溶解する。その液をｐＨ調整剤であるクエン酸ナトリウム水溶液にて、ｐＨ６．３に調整する。調製液を注射用水で最終容量に調整する。バルク溶液を、０．２μｍ孔サイズのフィルターを通し充填する。洗浄および乾燥したガラスバイアルにバルク溶液を充填する。滅菌したゴム栓をバイアルにはめこみ、その栓をしたガラスバイアルをアルミニウムキャップでシールする。
前記生成物は、５０℃の苛酷条件下で安定である。【００１５】
【表４】
2013056875.tif 000005
【産業上の利用可能性】
【００１６】  種々の骨吸収異常を伴う疾患の治療に用いられるビスホスホネートを長期保存安定な注射液として提供することができる。
(57)【要約】      （修正有）【課題】ゴルフクラブ，バット，ラケット等の道具を使うスポーツにおいて、適正な握力を利用者に知らしめる器具を提供する。【解決手段】ゴルフクラブ，バット，ラケット等を模した器具のグリップ部分の内側に圧力で変形したり音を出す銅板を設けたり、シャフトに突起を装備し、ウレタン等で包み込み、過度の量力の時に手の触感で認識でする。【選択図】図１
2013056138.tif 000002
【特許請求の範囲】
【請求項１】
ゴルフクラブ，バット，テニスラケット等を模した練習器具のグリップ部分の内側に圧力スイッチを設け、同器具のディスプレイに数値や赤，黄，青等のシグナルで表し、利用者に過度の握力を知らしめる器具。
【請求項２】
過度の握力をグリップ部分のスイッチによりブザーで知らしめる練習器具。
【請求項３】
過度の握力をグリップ部分のスイッチにより振動で知らしめる練習器具。
【請求項４】
過度の握力をシャフトの外側を動くムーブメントにより、知らしめる練習器具。
【発明の詳細な説明】
【技術分野】
【０００１】道具を使うスポーツ等において、適正な握力を利用者に知らしめる器具の発明。
【背景技術】
【０００２】［公開番号］  特許公開２００５−２９２０６１
【発明の開示】
【発明が解決しようとする課題】
【０００３】従来の技術はスイングが終了してから結果がわかる技術であり、スイング中のどこで力んでいるのか、解からなかった。
【課題を解決するための手段】
【０００４】力みすぎが、瞬時に手の触感で判別できれば良い。
【発明の効果】
【０００５】この発明品を繰り返し使用して練習すると、緊張して手首が固くなり、スムースな動作を妨げている個所が明らかになり有効である。
【発明を実施するための最良の形態】
【０００６】ゴルフクラブ，バット，ラケット等を模した器具のグリップ部分の内側に圧力で変形したり音を出す銅板を設けたり、シャフトに突起を装備し、ウレタン等で包み込み、過度の量力の時に手の触感で認識でする。
【産業上の利用可能性】
【０００７】
【図面の簡単な説明】
【０００８】
【図１】握力を数値や色のシグナルでディスプレイに表示する練習器具の姿図。
【図２】過度の握力をブザーで知らせる器具の姿図。
【図３】過度の握力をバイブレーターにより知らせる器具の姿図。
【図４】過度の握力をムーブメントにより知らせる器具の姿図。
【図１】
2013056138.tif 000003
【図２】
2013056138.tif 000004
【図３】
2013056138.tif 000005
【図４】
2013056138.tif 000006
(57)【要約】      （修正有）【課題】災害時や電気の無い地域で、お湯を沸かす事が出来る電気ポットを提供する。【解決手段】電気ポット１００の加熱体を駆動する電源として蓄電池１０３を使用し、かつ蓄電池を充電する手段として手廻し発電機１０４を設けた。手廻し発電機がある事で、何時でも、何処でもお湯を沸かす事ができる。【選択図】図１
2013056137.tif 000002
【特許請求の範囲】
【請求項１】
水を蓄えるポットとポット内の水を加熱する発熱体と発熱体を駆動する蓄電池と蓄電池を充電する手廻し発電機より構成された電気ポット。
【請求項２】
請求項１に記載の蓄電池を蓄電池ケースとして電気ポットの外部に設けた電気ポット。
【請求項３】
請求項１の手廻し発電機を請求項２の蓄電池ケース内に設けた電気ポット。
【請求項４】
請求項１の手廻し発電機を請求項１の電気ポットの外部ケースに設けた電気ポット。
【請求項５】
請求項１、請求項３、請求項４の手廻し発電機を手廻し以外の発電装置に置き換えた電気ポット。
【請求項６】
請求項１、請求項３、請求項４の手廻し発電機を交流電力を直流電力に変換する装置に置き換えた電気ポット。
【請求項７】
請求項１、請求項３、請求項４の手廻し発電機を直流電力を直流電力に変換する装置に置き換えた電気ポット。
【請求項８】
請求項１の蓄電池をコンデンサに置き換えた電気ポット。
【発明の詳細な説明】
【技術分野】
【０００１】本発明は、主として災害時や電気の無い地域で乳幼児のミルクを作るお湯を提供する事を目的とした電気ポットに関する。
【背景技術】
【０００２】電気ポットは家庭用電源を使用してお湯を沸かすが、災害時や電気の無い地域では市販の電気ポットではお湯を沸かす事が出来ない。本発明は、電気ポットの加熱体を駆動する電源として蓄電池を使用し、かつ蓄電池を充電する手段として手廻し発電機を設けた。蓄電池を充電する手廻し発電機の使い良さが重要な要素になる。
手廻し発電機として特許文献１がある。
【先行技術文献】
【特許文献】
【０００３】
【特許文献１】第４１６５６５７号
【発明の概要】
【発明が解決しようとする課題】
【０００４】解決しようとする問題点は、災害時や電気の無い地域では市販の電気ポットでお湯を沸かす事が出来ない。本発明は、電気ポットでありながら蓄電池の電力によりお湯を沸かす事ができる。蓄電池の充電には手廻し発電機で子供でも女性でも老人でもお湯を沸かす電力を蓄電池へ充電できる点にある。
【課題を解決するための手段】
【０００５】かかる課題を解決すべく、本発明では、手廻し発電機として特許文献１の発電装置を使用した。
【発明の効果】
【０００６】  特許文献１の発電装置には始動時負荷軽減回路が設けられているので子供でも女性でも老人でも確実にお湯を沸かすのに必要な電力を蓄電池に充電する事ができた。
【図面の簡単な説明】
【０００７】
【図１】本発明に係る電気ポットの構成を示すブロック図である。
【図２】発電装置を別のケースに設けた構成を示すブロック図である。
【発明を実施するための形態】
【０００８】以下、本発明を実施するための最良の形態を説明する。図１は、本発明に係る電気ポットの構成を示すブロック図である。水を入れるポットは３００ｍｌとした。
発熱体は低電圧で駆動可能はセラミックヒーターとし、蓄電池はニッケル水素二次電池１．２Ｖを４本直列接続した。発電機は特許文献１の発電機とした。
【０００９】特許文献１の発電機は２０分間ハンドルを回転させるとニッケル水素二次電池４本直列に９００ｍＡの電力を蓄えることができ、３００ｍｌの７０度のお湯を１０分で沸かした。
【産業上の利用可能性】
【００１０】災害時や電気の無い地域でお湯を必要とする場面は多い。特に災害時、乳幼児のミルク用のお湯は生命に係る。防災用品として準備する必要を感じる。【００１１】自然環境に配慮して野外活動でもお湯を必要とする。このお湯もＣＯ２を排出しない電気ポットが有効である。
【符号の説明】
【００１２】１００  電気ポット
１０１  水を入れるポット
１０２  加熱体
１０３  蓄電池
１０４  手廻し発電機
【図１】
2013056137.tif 000003
【図２】
2013056137.tif 000004
(57)【要約】      （修正有）【課題】保冷・保温するためのバッグと通常のバッグを１つにまとめることにより、利便性を提供する。【解決手段】一つのバッグを仕切り、断熱材５等の専用シートをはったスペースを設ける。【選択図】図２
2013056139.tif 000002
【特許請求の範囲】
【請求項１】
従来のバッグの収納部分を分けて、保冷・保温スペースを確保し、通常の持ち物と食品等を分離して持てるバッグ。
【発明の詳細な説明】
【技術分野】
【０００１】  この発明は、従来のバッグ内に保冷・保温できるスペースと通常の収納部分とを区分してあるバッグに関するものである。
【背景分野】
【０００２】  従来はすべてが保冷・保温機能となっているバッグ、又はドリンク収納部分（５００ｍｌペットボトルなど）のみ保冷・保温機能となっているバッグはありそれらは広く普及している
【発明の概要】
【発明が解決しようとする課題】
【０００３】  保冷・保温したいものを持ち歩くとき、それ専用のバッグが必要であり、不便であった。【０００４】  保冷・保温したいものと、紙類・革製品・電子機器などを一緒に収納すると、水滴などで汚損することがあった。
【課題を解決するための手段】
【０００５】  本発明はバッグ内に断熱材等の専用シートをはったスペースと布地やビニール地等のスペースを分けて設けることを特徴とする。【０００６】  保冷・保温スペースにファスナーを取り付けることで、独立性を高め、収納物の混同を防ぐ。
【発明の効果】
【０００７】  バッグ内で保冷・保温スペースと通常の収納部分とを仕切ることにより、保冷・保温したいものの温度をできるだけ維持することができ、且つ、貴重品や濡らしたくない物も同じバッグで一緒に持ち歩くことができる。【０００８】  上述したように、本発明のバッグは、保冷・保温スペースと通常の収納部分とを設けることにより、分けて持っていたバッグが一つになり活動し易くなる。【０００９】  小さな子供を持つ母親などは、飲料やおしぼり、離乳食など保冷したいものが多いうえ、オムツやお尻拭きなど持ち物が多くなるため、一つにまとめられて便利になる。【００１０】  また、仕事用のバッグとしても、弁当箱や飲料と、書類、折り畳み傘、携帯電話などと分離して収納でき、衛生的である。
【図面の簡単な説明】
【図１】  本発明の斜視図である。
【図２】  本発明の側面図である。
【図３】  本発明の断面図である。
【発明を実施するための形態】
【００１１】  以下、本発明の形態について説明する。
（イ）  バッグ収納部の保冷・保温スペースに断熱シート（５）をはる。
（ロ）  仕切りを設ける。
（ハ）  保冷・保温スペース上部にファスナー（２）を取り付ける。
【符号の説明】１  バッグ本体
２  ファスナー
３  持ち手
４  底鋲
５  断熱シート
６  裏地
【図１】
2013056139.tif 000003
2013056139.tif 000004
【手続補正書】
【提出日】平成23年11月4日(2011.11.4)
【手続補正２】
【補正対象書類名】図面
【補正対象項目名】全図
【補正方法】変更
【補正の内容】
【図１】
2013056139.tif 000005
【図２】
2013056139.tif 000006
【図３】
2013056139.tif 000007
(57)【要約】      （修正有）【課題】照明装置が組み込まれた机では主として電力を机外部より交流電力の供給を受けているが、外部電力を供給することなく照明する。【解決手段】学習机１００に組み込まれた蓄電池１０３と、該学習机にセットされた手回し発電機１０４とにより、外部電力の供給なしに照明装置１０２を点灯する。【選択図】図１
2013056136.tif 000002
【特許請求の範囲】
【請求項１】
ＬＥＤ照明装置と照明装置を駆動する蓄電池と蓄電池を充電する手廻し発電機を組み込んだ机から構成させる学習机。
【請求項２】
請求項１に記載の手廻し発電機を請求項１の学習机外部に設けた学習机。
【請求項３】
請求項１に記載の蓄電池を請求項１の学習机外部に設けた学習机。
【請求項４】
請求項１に記載の手廻し発電機と蓄電池を１つのケースにいれ学習机外部に設けた学習机。
【請求項５】
請求項１に記載のＬＥＤ照明装置以外の装置等を駆動する電力出力口を設けた学習机。
【請求項６】
請求項１に記載の蓄電池をコンデンサーに置き換えた学習机。
【請求項７】
請求項１、請求項２に記載の手廻し発電機を手廻し以外の発電機に置き換えた学習机。
【請求項８】
請求項１、請求項２に記載の手廻し発電機を交流電力を直流電力に変換する装置に置き換えた
学習机。
【請求項９】
請求項１、請求項２に記載の手廻し発電機を直流電力を直流電力に変換する装置に置き換えた
学習机。
【請求項１０】
請求項１のＬＥＤ照明装置をＬＥＤ以外の照明装置に置き換えた学習机。
【請求項１１】
請求項１に記載の学習机を事務机等に置き換えた机。
【発明の詳細な説明】
【技術分野】
【０００１】  本発明は、主として学習机と机用照明装置に関する。
【背景技術】
【０００２】  学習机には照明装置が組み込まれたタイプと照明装置等を天板上に置いて照明する机がある。本発明は主として照明装置が組み込まれた机に関する。
【先行技術文献】
【０００３】
【特許文献】
【特許文献】第４１６５６５７号
【発明の概要】
【発明が解決しようとする課題】
【０００４】  照明装置が組み込まれた机では主として電力を机外部より交流電力の供給を受けている。本発明では、組み込まれる照明装置をＬＥＤランプ使用の照明装置とし机に組み込まれた蓄電池により駆動し、充電は机にセットされた手廻し発電機により行われる。
【課題を解決するための手段】
【０００５】  かかる課題を解決すべく、本発明では手廻し発電機として特許文献１の発電機を使用した。
【発明の効果】
【０００６】  特許文献１の発電装置には始動時負荷軽減回路が設けられているので子供でも女性でも老人でも確実にＬＥＤ照明を点灯させるに必要な電力を蓄電池に充電する事ができた。
【図面の簡単な説明】
【０００７】
【図１】本発明に係る手廻し発電機搭載の学習机の構成を示すブロック図である。
【図２】本発明に係る手廻し発電機搭載の学習机の例を示す斜視図である。
【発明を実施するための形態】
【０００８】  本発名の学習机を効果的に実施する為に実施例の１つを斜視図２に示した。
【実施例】
【０００９】  実施例の１つとして斜視図２を示した。
【産業上の利用可能性】
【００１０】  電力の供給が無い地域や停電の多い地域での夜間学習に利用すると本発明の学習机の価値が高い。
【符号の説明】
【００１１】１００  学習机
１０１  机天板
１０２  照明装置
１０３  蓄電池
１０４  発電機
１０５  制御装置
２０１  発電機
２０２  発電機ハンドル
【図１】
2013056136.tif 000003
【図２】
2013056136.tif 000004
(57)【要約】【課題】水分を加熱沸騰させる際、容器の側面外周部を二重にして底面と側面の両面から加熱する【解決手段】容器本体（１）の側面外周部に上部が塞がれ、下部が開口になった側面板（２）を有する水分加熱沸騰用の容器である。【選択図】図１
2013056134.tif 000002
【特許請求の範囲】
【請求項１】
水分沸騰用の容器本体（１）の側面外周部に下部が開口で上部が塞がれている二重目の側面板（２）を有する水分加熱沸騰用の容器。
【発明の詳細な説明】
【技術分野】
【０００１】  この発明は水分を沸騰させる際、容器の底面と側面外周部の両方から加熱する為に、容器の側面外周部を二重にし下部を開口、上部を塞いだ水分沸騰用の容器である。
【背景技術】
【０００２】  従来より水分加熱沸騰用の容器は底面、側面共一重であり、加熱される部分は底面のみであった。
【先行技術文献】
【０００３】
【特許文献】
【非特許文献】
【発明の概要】
【発明が解決しようとする課題】
【０００４】  既存の水分加熱沸騰用の容器は容器全体が一重であり、加熱部分が底面だけであったものを側面外周部を二重にして上部を塞ぎ下部を開口にして二重側面部で熱を滞留させ保持して、側面からも加熱するために発明されたものである。
【課題を解決するための手段】
【０００５】  容器本体（１）の側面外周部に上部が塞がれ下部が開口になった側面板（２）を有する。水分沸騰用の容器である。
【発明の効果】
【０００６】  本発明は水分を加熱沸騰させる際、従来だと底面からの加熱熱が側面を伝わって上方に逃げていたものを側面外周部に保持して底面と外周部の両面から加熱する事により加熱沸騰時間を短縮する事が出来、つまりは熱費の節約になり時間と経済効果の両面において大きなメリットがある。
【図面の簡単な説明】
【０００７】
【図１】本発明の断面図である。
【発明を実施するための形態】
【０００８】  以下、本発明を実施するための形態について説明する。
水分加熱沸騰用の容器本体（１）の側面外周部に上部が塞がれ、下部が開口になっている側面板（２）を有し、底面で加熱した熱が側面を伝わり上部に逃げるのを防ぎ、容器本体（１）と側面板（２）の間に熱を保持して側面外周部からも加熱するものである。
【符号の説明】
【０００９】  １  容器本体
２  側面板
３  加熱熱
４  上昇熱
５  滞留熱
【図１】
2013056134.tif 000003
(57)【要約】【課題】  不使用時のコンパクト収納と、柔らかい物品の収納を可能とした変形する皿。【解決手段】  基台（１）に弾性体（３）を設け、支持部品受け部（２）に支持部品（４）を設けたことを特徴とした変形する皿。【選択図】図１
2013056135.tif 000002
【特許請求の範囲】
【請求項１】
基台（１）外周部に支持部品受け部（２）を設け、支持部品受け部（２）に支持部品（４）を設け、基台（１）に弾性体（３）を設けたことを特徴とする変形する皿。
【発明の詳細な説明】
【技術分野】
【０００１】  本発明は、積載により皿の凹部を発生し、折りたためる変形する皿に関するものである。
【背景技術】
【０００２】  果物などデリケートな品物は、緩衝剤に包まれ保護されていた。
皿として必要な凹部が収納の妨げになり、不使用時にスペースを必要としていた。
【先行技術文献】
【０００３】
【特許文献１】  実用新案出願２００９−８３５２  市販品では、シリコンゴム製のジャバラ状の折りたたみ皿があった。
【発明の概要】
【発明が解決しようとする課題】
【０００４】  柔らかい物体、果物など皿凹部が硬く柔らかい物品の保護ができなかった。
接触面積は小さく集中するため変形や腐敗を早める。
不使用時に皿の機能としての凹部の深さが必要で凹部がなく収納のスペースをとっていた。
使用することで凹部を発生して変形する皿はなかった。
本発明は以上の問題点を解決するためになされたものである。
【課題を解決するための手段】
【０００５】  基台（１）外周部に支持部品受け部（２）を設け、支持部品受け部（２）に支持部品（４）を設け、基台（１）に弾性体（３）を設ける。
以上のように構成された変形する皿である。
【発明の効果】
【０００６】  不使用時に凹部のない皿、支持部は折りたたむ構造、または、筒状支持部品の分解ができコンパクトに収納できる。
皿に載せる物品の形状に合わせ変形することで、点で支えるから面で支えることで負担が少なくなる。
弾性体、または弾性体部品が網目状では、物品の自重で沈み形状に合わせた変形をすることで、柔らかいものなど、接触面積が広く一点に集中しないので腐敗、変形が少ない利点がある。
フルーツボウルなどでは、桃、マンゴー等は、硬い素材では点で受け止められそこから腐敗、変形を招き、柔らかい素材では面で支えることで解決される。
皿として機能する凹部は、積載物の自重により使用時に発生し、未使用のとき凹部は必要とせず、皿下部の凹部深さはスタンドをたたむことでコンパクトに収納できる。
または、円筒形の内側に弾性体を取り外し可能にし、コンパクトに収納できる。
【図面の簡単な説明】
【０００７】
【図１】  弾性体、円周部の断面および支持部品のカットの斜視図である。
【発明を実施するための形態】
【０００８】  本発明を実施するための形態を説明する。
基台（１）外周部に支持部品受け部（２）を設け、支持部品受け部（２）に支持部品（４）を設け、基台（１）に弾性体（３）を設ける。
以上のように構成された変形する皿である。
皿円周部に筒などの変形の少ない、また素材を基台とし、シリコンゴムや網目状の弾性体の下部に凹部の深さを得るため、基台に支持部品をスタンド式、筒状の足と成る支持部品を取り付ける。
支持部品の高さが皿の深さに相当し物品を載せることができる。
皿としての機能の凹部を得るため弾性体の周辺部を変形することのない素材、または構造にし、支持部品などで弾性体下部に空間を作る必要があり、皿凹部深さを確保する。
弾性体は物品の自重で沈み形状に合わせた変形をし凹部となる。
基台に固定され弾性体は積載物の自重により変形する。
皿としての凹部を発生し物品を受け止めることができる。
【実施例】  円周部基台（１）は変形することのない素材、または構造にし、基台（１）に設けた支持部品（３）は使用するとき立てた状態にし、この高さは、皿としての機能凹部の深さにあたりる。
シリコンゴムなどの弾性体（２）を基台（１）に設け、くだものなどを載せたとき弾性体は自重に応じた変形をし、硬い皿などの様に点で支えることなく面で支え、物品の重さ、量に応じ変形する。
使用しないときなど、弾性体（２）は元に戻り凹部のない皿になり、支持部品（３）は内側に折りたたむことでコンパクトに収納できる。
【符号の説明】
【０００９】  １  基台
２  支持部品受け部
３  弾性体
４  支持部品
【図１】
2013056135.tif 000003
(57)【要約】【課題】マンションのベランダでの布団干しで日光が当たるようにした布団干し具を提供する。【解決手段】布団を乗せる布団台（１）と、これを乗せるスライド台（２）に布団台（１）を前後へ移動する機構を設け、布団台（１）をベランダの壁（３）より外側へ出すようにした布団干し具。【選択図】図１
2013056169.tif 000002
【特許請求の範囲】
【請求項１】
スライド台（２）をレール型にし、これに乗せる布団台（１）にレール（７）に嵌合するガイド（８）を設け、布団台（１）を前後に滑らし移動をできるようにした布団干し具
【発明の詳細な説明】
【技術分野】
【０００１】この発明はベランダの布団干し具に関するものである。
【背景技術】
【０００２】従来、マンションのベランダでの布団干しは日陰が多いため布団に日光が当たるのは少しで、また、日当たりの時間も短かった。そのため日光を多く当てようとするには壁に掛けるしかなかったが、しかしこれでも日当たりは布団全面の半分ぐらいであった。
【先行技術文献】
【特許文献】
【０００３】
【特許文献１】特許公開２００６−４３０７０
【特許文献２】特許公開２００１−１７７９６
【発明の概要】
【発明が解決しようとする課題】
【０００４】マンションのベランダでの布団干しは日当たりが少なく、これを解消するため布団を広げて全面に日光が当たるようにする。
【課題を解決するための手段】
【０００５】布団を広げて乗せる布団台（１）と、この布団台（１）を乗せるスライド台（２）に布団台（１）を前後に移動する機構を設け、布団台（１）をベランダから日当たりのよい外側へ出す布団干し具。
【発明の効果】
【０００６】マンションのベランダでの布団干しは日当たりが少ないが、本案の布団干し具では布団の全面に日光が当たるようになる。
【図面の簡単な説明】
【０００７】
【図１】本発明の概略斜視図である。
【図２】本発明の正面図である。（一部省略）
【図３】本発明の側面図である。
【図４】ガイド部の拡大平面図
【図５】ガイド部の拡大正面図
【図６】ガイド部の拡大側面図
【図７】ピン部、ストッパー部の拡大正面図
【図８】ピン部、ストッパー部の拡大側面図
【図９】布団押さえ
【発明を実施するための形態】
【０００８】本案はベランダの壁（３）より外側に布団を広げて干すようにした布団干し具である。二本のスライド台（２）は水平方向のスライド部（４）と、これとほぼ直角に曲がった縦方向に収納部（５）を有し、スライド部（４）を外へ向け、収納部（５）を壁（３）の内側に固定し、スライド部（４）に布団台（１）を乗せ、前後に滑らせるようにしたものである。二本のスライド台（２）は布団台（１）の二本の補強材（６）の幅に合して固定する。布団台（１）の枠には枠穴（１５）を数個あけ、底は網目状にする。補強材（６）の上面には中央部に突き出し部（１６）を設けガイド（８）の取り付け穴（１７）をあけ、手前下側にはピン部（９）を突き出して設けピン穴をあけピン管（１０）を固定する。スライド台（２）は線路のようなレール型にして、下の底板（１３）の幅はスライド部（４）では一定で、曲がり箇所で次第に広くし縦の収納部（５）の両側へ突き出したアンカー部（２０）で固定する。スライド部（４）と収納部（５）の両部にはピン用とストッパー用の数個の兼用穴（１１）をあけＬ型のストッパー（１２）をスライド部（４）だけに取り付ける。レール（７）を挟み込むように形成したガイド（８）を収納部（５）の端のレール（７）にはめ込みスライド部（４）の中ほどまでもってきてこれに布団台（１）を乗せ補強材（６）に取り付ける。ガイド（８）のレール（７）との接面部（１４）は半円状にし、曲がり箇所でスムーズに曲がるようにする。
使用するときは収納部（５）にある布団台（１）をガイド（８）を滑らせてスライド部（４）へ持っていき横にする。これに布団を広げ、日差しのところへ布団台（１）を移動してピン部（９）がストッパー（１２）に当たったところでピン穴とスライド部（２）の兼用穴（１０）を合わしピンを通して止める。布団台（１）の移動幅はストッパー（１２）を移して調整できる。布団の落下防止に複数の布団押さえ（１８）を布団台（１）の前後の枠穴（１５）に取り付ける。布団押さえ（１８）にはパイプを用い、手前の枠穴（１５）にはねじ部（１９）を設けボルトを締めてパイプの中へ入れ外れないようにする。布団を取り入れるときはピンを抜き、布団台（１）を手前に引き寄せて布団押さえ（１８）を外す。布団を取り上げた後、縦の収納部（５）へ布団台（１）を滑らし収納する。ここのストッパー（１２）は前記のガイド（８）をはめ込んだ後取り付ける。
また、布団押さえは目の大きな網でもよい。
【符号の説明】
【０００９】１  布団台          ２  スライド台
３  壁              ４  スライド部
５  収納部          ６  補強材
７  レール          ８  ガイド
９  ピン部          １０  ピン管
１１  兼用穴        １２  ストッパー
１３  底板          １４  接面部
１５  枠穴          １６  突き出し部
１７  取り付け穴    １８  布団押さえ
１９  ねじ部        ２０  アンカー部
【図１】
2013056169.tif 000003
【図２】
2013056169.tif 000004
【図３】
2013056169.tif 000005
2013056169.tif 000006
【図６】
2013056169.tif 000007
【図７】
2013056169.tif 000008
【図８】
2013056169.tif 000009
【図９】
2013056169.tif 000010
【手続補正書】
【提出日】平成24年12月14日(2012.12.14)
【手続補正１】
【補正対象書類名】図面
【補正対象項目名】全図
【補正方法】変更
【補正の内容】
【図１】
2013056169.tif 000011
【図２】
2013056169.tif 000012
【図３】
2013056169.tif 000013
【図４】
2013056169.tif 000014
【図５】
2013056169.tif 000015
【図６】
2013056169.tif 000016
【図７】
2013056169.tif 000017
【図８】
2013056169.tif 000018
【図９】
2013056169.tif 000019
(57)【要約】【課題】ＬＲＶ向け歯車装置の芯違い測定方法を簡略化する。【解決手段】台車枠に締結されている吊りリンクのボルトに芯違い測定治具を共締めする。芯違い測定治具にはスケールが刻まれており、歯車装置小歯車蓋部に刻まれた線により芯違いを測定することができる。すなわち、台車枠に固定された電動機と、それに連結される歯車からなる車両用歯車装置であって、前記台車枠に固定されたスケールと前記歯車蓋に刻まれた基準線によって前記電動機との芯違いを測定することを特徴とする芯違い測定治具である。【選択図】図１
2013056564.tif 000002
【特許請求の範囲】
【請求項１】
台車枠に固定された電動機と、前記電動機に連結される歯車からなる車両用歯車装置であって、前記台車枠に固定されたスケールと前記歯車蓋に刻まれた基準線によって前記電動機との芯違いを測定することを特徴とする芯違い測定治具。
【発明の詳細な説明】
【技術分野】
【０００１】
本発明は、ＬＲＶ（Ｌｉｇｈｔ  Ｒａｉｌ  Ｖｅｈｉｃｌｅ）用歯車装置の芯違い測定治具に関するものである。
【背景技術】
【０００２】
ＬＲＶ用歯車装置において、継手を正常に動作させるために歯車装置と主電動機の芯違いの調整を行う。
【０００３】
その際、図２に示す通り主電動機の脚１にストレッチ２を当て、そのストレッチから歯車装置小歯車蓋近傍の歯車箱の加工面３までの寸法を測り、芯違い４を管理している。
【先行技術文献】
【特許文献】
【０００４】
【特許文献１】特開２０１０−１３２０９９号公報
【発明の概要】
【発明が解決しようとする課題】
【０００５】
しかし、図２に示す方法で芯違い測定をするとストレッチ２を保持する者と芯違いを測定する者の２名が必要であり、ストレッチ２の保持も容易ではない。
【課題を解決するための手段】
【０００６】
この発明が目的とするところは、台車枠に締結されている吊りリンクのボルトに芯違い測定治具を共締めし、芯違い測定治具に刻まれたスケールと小歯車蓋部の刻印により芯違いを測定することである。すなわち、台車枠に固定された電動機と、前記電動機に連結される歯車からなる車両用歯車装置であって、前記台車枠に固定されたスケールと前記歯車蓋に刻まれた基準線によって前記電動機との芯違いを測定することを特徴とする芯違い測定治具である。
【発明の効果】
【０００７】
以上のように吊りリンク締結ボルトと共締めした芯違い測定治具により芯違いを測定することで、主電動機脚部にストレッチを固定することなしに簡便にまた正確に芯違いを測定できる。また、測定者は１名になり、測定自体も容易になる。
【図面の簡単な説明】
【０００８】
【図１】本発明を実現するための構成を示した説明図である。（実施例１）
【図２】現状の芯違い測定方法を示した説明図である。
【発明を実施するための形態】
【０００９】
現状の芯違い測定方法を図２に示す。
【実施例１】
【００１０】
図１において吊りリンク締結ボルト５は台車枠（図示せず）に固定されており、同じく台車枠には主電動機が固定されている。
【００１１】
芯違い測定治具６は吊りリンク締結ボルト５に共締めされており、芯違い測定治具６にはスケール７が刻まれている。
【００１２】
スケール７の中の長線８と小歯車蓋に刻まれた線（基準線）９が一致した点が正常な芯違いとなる。
【産業上の利用可能性】
【００１３】
台車枠に固定された電動機とそれに連結される歯車装置からなる車両用歯車装置において、芯違いの測定を簡便にまた正確に行うことができる。
【符号の説明】
【００１４】
１  主電動機の脚
２  ストレッチ
３  歯車装置小歯車蓋近傍の歯車箱の加工面
４  芯違い
５  吊りリンク締結ボルト
６  芯違い測定治具
７  スケール
８  長線
９  小歯車蓋に刻まれた線（基準線）
【図１】
2013056564.tif 000003
【図２】
2013056564.tif 000004
(57)【要約】【課題】重さのある物をまとめ挟み、吊り下げて保存、保管できる取り外しフック付き回転式クリップを提供する。【解決手段】錆びにくい金属素材の１本のワイヤーで形成されるクリップ本体において、摘み誘導部となる円筒状コイルの両端を延長して、上方にループ状の摘み部を形成し、下方に底辺が他の２辺より長い二等辺三角形状の挟み部を形成する。挟み部には、シリコン等を用いた滑り止めを装着固定する。摘み部に左右挟まれた摘み誘導部の上面に、釣り糸のような捻りにも引っ張る力にも強い素材で吊り掛け部を設け、吊り掛け部の上端にリングを設け、Ｓ字状等のフックに吊るし３６０度自由に回転できるようにする。【選択図】図１
2013056524.tif 000002
【特許請求の範囲】
【請求項１】
錆びにくい金属素材の１本のワイヤーで形成し、クリップ本体において、摘み誘導部となる円筒状コイルの両端を延長して、上方にループ状の摘み部を形成し、下方に底辺が他の２辺より長い二等辺三角形状の挟み部を形成し、挟み部にはシリコン等を用いた滑り止めを装着固定し、摘み部に左右挟まれた摘み誘導部の上面に、釣り糸のような捻りにも引っ張る力にも強い素材で吊り掛け部を設け、吊り掛け部の上端にリングを設け、Ｓ字状等のフックに吊るし３６０度自由に回転できるようにする取り外しフック付き回転クリップ。
【発明の詳細な説明】
【技術分野】
【０００１】  本発明は、フック付きクリップに関するものである。
【背景技術】
【０００２】  従来のクリップは、用途に応じて書類等をまとめて挟む形態のもの（特許文献１参照）や（特許文献２参照）なども知られている。
【先行技術文献】
【特許文献】
【０００３】
【特許文献１】特許公開２０１１−４６０８７
【特許文献２】特許公開２００６−２８９９２７
【発明の概要】
【発明が解決しようとする課題】
【０００４】  従来のクリップは形状の違いはあっても、書類等をまとめて挟むためや開封口を閉じるために使用していたが、軽量の物に使われており、重さのある物をまとめ挟み吊り下げて保存、保管する用途には不向きであった。
本発明は、以上の問題点を解決するものである。
【課題を解決するための手段】
【０００５】  錆びにくい金属素材の１本のワイヤーで形成されるクリップ本体において、摘み誘導部となる円筒状コイルの両端を延長して、上方にループ状の摘み部を形成し、下方に底辺が他の２辺より長い二等辺三角形状の挟み部を形成する。挟み部には、シリコン等を用いた滑り止めを装着固定する。摘み部に左右挟まれた摘み誘導部の上面に、釣り糸のような捻りにも引っ張る力にも強い素材で吊り掛け部を設け、吊り掛け部の上端にリングを設け、Ｓ字状等のフックに吊るし３６０度自由に回転できるようにする。
【発明の効果】
【０００６】  （イ）本発明により重さがある物をまとめて挟むことができる。
（ロ）挟み部にシリコンを使用することで滑り止めとなり、クリップからの落下が防げる。
（ハ）シリコンを使用することで臭いがつかず、冷蔵庫内の低温にも対応できる。
（ニ）Ｓ字フックは多種の物でも対応できる。
（ホ）リングと吊り掛け部により、クリップの角度を自由に変えられ、どの角度からも見やすく、取り出しやすい。
【図面の簡単な説明】
【０００７】
【図１】本発明斜視図
【図２】本発明の側面図
【図３】使用するフックの一例を示す正面図
【図４】吊り掛け部の一例を示す構造図
【発明を実施するための形態】
【０００８】  以下、本発明の実施の形態を説明する。
錆びにくい金属素材の１本のワイヤーで形成されるクリップ本体（１）において、摘み誘導部（４）となる円筒状コイルの両端を延長して、上方にループ状の摘み部（２）を形成し、下方に底辺が他の２辺より長い二等辺三角形状の挟み部（３）を形成する。挟み部（３）には、シリコン等を用いた滑り止め（５）を装着固定する。摘み部（２）に左右挟まれた摘み誘導部（４）の上面に、釣り糸のような捻りにも引っ張る力にも強い素材で吊り掛け部（７）を設け、吊り掛け部（７）の上端にリング（６）を設け、Ｓ字状等のフック（８）に吊るし３６０度自由に回転できるようにする。
本発明は以上のような構造である。
本発明を使用するときは、クリップ本体（１）の摘み部（２）を指で摘み、挟み部（３）を開き、挟む物を入れ、摘み部（２）の指を離すとクリップの挟み部（３）は閉じる。クリップの吊り掛け部（７）上端のリング（６）をＳ字状等のフック（８）に架けて吊るす。クリップに挟む物は、開封した食品でも調味料でもいい。汁物の食品をクリップに挟む場合は、開封口を上にして密閉しながら折りたたみ、クリップで挟むようにすると汁漏れせずに保存できる。クリップ本体（１）から外す際はＳ字状等のフック（８）からリング（６）を外しクリップの摘み部（２）を指で摘み、挟み部（３）を開いて挟んでいた物を外す。
尚、Ｓ字状等のフック（８）を専用にＳ字の下方を小さく形成した変形Ｓ字フックを使用してもいい。また、吊り掛け部（７）に関しては、球体の天頂に穴を開け回転可能とした物を使用してもいい。
【符号の説明】
【０００９】１クリップ本体、  ２摘み部、  ３挟み部、  ４摘み誘導部、  ５滑り止め、  ６リング、  ７吊り掛け部、  ８Ｓ字状等のフック
【図１】
2013056524.tif 000003
【図２】
2013056524.tif 000004
【図３】
2013056524.tif 000005
【図４】
2013056524.tif 000006
(57)【要約】      （修正有）【課題】治具の設計が大掛かりになり設計が大変であること面盤などを用いて手動でクランプする場合はクランプの応力などなどがあり危険であるということがある。またそれらを総合し本当は丸形状加工（穴加工、ボス加工、ネジ加工）などは旋盤が得意とする所であるが、段取りや治具の設計に多大な労力がかかるためマシニングなどにもっていくケースが増えてきた。【解決手段】旋盤の主軸１は貫通穴２が開いているのでその貫通穴２のなかに油圧変換装置３で配管にて固定する。油圧変換装置３の一端からは油圧ホース４にてつなげ片方にカプラ７を取り付ける。そしてクランプの治具など異形物に合わせた治具に油圧源として供給する。次にもう一端からはスイーベルジョイント５に接続し、主軸１に固定する。スイーベルジョイント５を油圧ユニット６に接続する。【選択図】図１
2013056409.tif 000002
【特許請求の範囲】
【請求項１】
旋盤等の主軸貫通穴（２）なかに油圧変換装置（３）固定し。油圧変換装置（３）の一端から治具に油圧源をして供給し。次にもう一端からは主軸（１）に固定したスイーベルジョイント（５）を仲介して油圧ユニット（６）に接続し、油圧発生源となすクランプ装置。
【発明の詳細な説明】
【発明の詳細な説明】
【０００１】
【産業上の利用分野】
【０００２】  当発明はＮＣ旋盤に異形物を把握し段取りを早くするとともに異形物の形状が変化しても対応できるようにした装置である。
【背景技術】
【０００３】  従来、旋盤などにおいて異形物を加工する際はチャックでつかむよう治具の設計をするか面盤などを用いて手動のクランプにてチャッキングするなどの方法がとられていた。
【発明が解決しようとする課題】
【０００４】  上記の技術においては、治具の設計が大掛かりになり設計が大変であること面盤などを用いて手動でクランプする場合はクランプの応力などなどがあり危険であるということがある。
またそれらを総合し本当は丸形状加工（穴加工、ボス加工、ネジ加工）などは旋盤が得意とする所であるが、段取りや治具の設計に多大な労力がかかるためマシニングなどにもっていくケースが増えてきた。
当発明は旋盤の得意とする（穴加工、ボス加工、ネジ加工）を異形物でも簡単にできるようにした装置である。
【課題を解決する手段】
【０００５】  旋盤の主軸（１）は貫通穴（２）が開いているのでその貫通穴（２）のなかに油圧変換装置（３）で配管にて固定する。油圧変換装置（３）の一端からは油圧ホース（４）にてつなげ片方にカプラ（７）を取り付ける。そしてクランプの治具など異形物に合わせた治具に油圧源として供給する。次にもう一端からはスイーベルジョイント（５）に接続し、主軸（１）に固定する。
スイーベルジョイント（５）を油圧ユニット（６）に接続する。そのようにすることによって治具にカプラ（７）を接続し油圧源が使用できるようになり治具にクランプのための油圧装置（クランプシリンダー）（８）などなどを乗せることができる。
【作用】
【０００６】  油圧ユニット（６）を作動させスイーベルジョイント（５）と油圧変換装置（３）に通して油圧を供給させ油圧変換装置（３）にて増圧することによって油圧ホース（４）より治具のクランプ（８）に接続することにより治具などに自動油圧クランプ装置ができるようになる。
【実施例】
【０００７】ＮＣ旋盤の主軸に加工冶具を取り付け、その冶具にクランプシリンダーを取り付け調整する。冶具は油圧ホースにて油圧変換装置（３）に接続しまた、配管にてスイーベルジョイント（５）に接続し、スイーベルジョイント（５）は主軸に固定し、スイーベルジョイント（５）には油圧ユニット（６）に接続し、油圧ユニット（６）を動作させ、油圧の圧力をクランプシリンダーに伝えることによって加工製品をクランプできるようにする。
【発明の効果】
【０００８】従来、クランプの冶具が大掛かりになるものが、小型化、簡素化できる。
段取りも、従来のものに比べ半分以下にすることができる。
また、クランプ圧力も調整により高圧化することによりより小型のものへとすることができる。
【図１】
2013056409.tif 000003
【手続補正書】
【提出日】平成23年11月22日(2011.11.22)
【手続補正１】
【補正対象書類名】明細書
【補正対象項目名】全文
【補正方法】変更
【補正の内容】
【発明の詳細な説明】
【発明の詳細な説明】
【０００１】
【産業上の利用分野】
【０００２】  当発明はＮＣ旋盤に異形物を把握し段取りを早くするとともに異形物の形状が変化しても対応できるようにした装置である。
【背景技術】
【０００３】  従来、旋盤などにおいて異形物を加工する際はチャックでつかむよう治具の設計をするか面盤などを用いて手動のクランプにてチャッキングするなどの方法がとられていた。
【発明が解決しようとする課題】
【０００４】  上記の技術においては、治具の設計が大掛かりになり設計が大変であること面盤などを用いて手動でクランプする場合はクランプの応力などなどがあり危険であるということがある。
またそれらを総合し本当は丸形状加工（穴加工、ボス加工、ネジ加工）などは旋盤が得意とする所であるが、段取りや治具の設計に多大な労力がかかるためマシニングなどにもっていくケースが増えてきた。
当発明は旋盤の得意とする（穴加工、ボス加工、ネジ加工）を異形物でも簡単にできるようにした装置である。
【課題を解決する手段】
【０００５】  旋盤の主軸（１）は貫通穴（２）が開いているのでその貫通穴（２）のなかに油圧変換装置（３）で配管にて固定する。油圧変換装置（３）の一端からは油圧ホース（４）にてつなげ片方にカプラ（７）を取り付ける。そしてクランプの治具など異形物に合わせた治具に油圧源として供給する。次にもう一端からはスイーベルジョイント（５）に接続し、主軸（１）に固定する。
スイーベルジョイント（５）を油圧ユニット（６）に接続する。そのようにすることによって治具にカプラ（７）を接続し油圧源が使用できるようになり治具にクランプのための油圧装置（クランプシリンダー）（８）などなどを乗せることができる。
【作用】
【０００６】  油圧ユニット（６）を作動させスイーベルジョイント（５）と油圧変換装置（３）に通して油圧を供給させ油圧変換装置（３）にて増圧することによって油圧ホース（４）より治具のクランプ（８）に接続することにより治具などに自動油圧クランプ装置ができるようになる。
【実施例】
【０００７】ＮＣ旋盤の主軸に加工冶具を取り付け、その冶具にクランプシリンダーを取り付け調整する。冶具は油圧ホースにて油圧変換装置（３）に接続しまた、配管にてスイーベルジョイント（５）に接続し、スイーベルジョイント（５）は主軸に固定し、スイーベルジョイント（５）には油圧ユニット（６）に接続し、油圧ユニット（６）を動作させ、油圧の圧力をクランプシリンダーに伝えることによって加工製品をクランプできるようにする。
【発明の効果】
【０００８】従来、クランプの冶具が大掛かりになるものが、小型化、簡略化できる。
段取りも、従来のものに比べ半分以下にすることができる。
【図面の簡単な説明】
【０００９】
【図１】異形物チャックの構造図
(57)【要約】【課題】従来の本のページ固定具は重りが両方に必要であったり、ページの支えが本を読むとき邪魔になり、またページをめくりにくかった。【解決手段】これらの欠点を解決するために重りは本の自重を使い、本の台座と引き出し台座は引きばねで把持部材と連結し、重りをなくし本の支えをなくして、殆どの大きさの本に対応して、読みやすく、ページをめくりやすくした。【選択図】図１
2013169789.tif 000002
【特許請求の範囲】
【請求項１】
本を固定する中空からなる台座とこの中空から引き出された別の引き出し台座からなり両方の台座の先端に引きばねで連結したページ把持部材からなる開いた本のページ固定具
【請求項２】
把持部材は、把持部がリング状にかみあって閉じ、支点を中心に把持部と反動する反発性をもたせた掴み部とからなる請求項１の本のページ固定具
【請求項３】
リング状にかみあって閉じる把持部は、一方の見開き側に接する表面がテフロンなどの滑性に富んだ素材からなる請求項１の本のページ固定具
【発明の詳細な説明】
【技術分野】
【０００１】  本発明は、本のページを開いたまま固定し、本を見ながらのパソコン操作や調理が簡単に行え、且つページのめくりが簡単に行える本のページ固定具に関する。
【背景技術】
【０００２】  従来、本のページを固定するには本の片方に重りを載せたりし工夫が必要であった。載せた重りが本から落下したり、重りに隠れて読めなかったり、本を読みながらの別の作業の邪魔になったりしていた。【０００３】  今までには、この用途に重りの先に洗濯ばさみをつけた固定具が販売されている。またその他には斜めに本を立てかけるブックスタンドの下方に本の両側を固定する棒状の支えを使ったり本の上の真横に棒を通しこれを支えたりしていた。【０００４】
【特許文献１】特開平８−１５６４５１
【特許文献２】特開２００８−２７３１６５
【発明の開示】
【発明が解決しようとする課題】
【０００５】  以上述べてきたように、上記重りに洗濯ばさみをつけた固定具では、これが時には邪魔になったり片方だけでなく両側にもと二個が必要になったり、ページのめくりも面倒になる。ブックスタンドの固定法や横に棒を通すのでは棒状の支えが邪魔になり本が読めなかったりし、ページのめくりも面倒であった。
【問題を解決するための手段】
【０００６】  本発明は上記問題を解決するために、重りを必要としない固定具をつくること、次に簡単に本のページをめくることができるようにした。
まず、重りを必要としない固定具を作るには重りに代わるものを考える必要がある。それには本自体の重さを利用することにした。その検証のために本のページ数、本の大きさ、本の重さについて特徴的なものを選びだした。
【０００７】
2013169789.tif 000003
【０００８】  文献Ａはこの中では紙質が硬く比較的横幅が狭いためページの固定が難しい。Ｂは横幅に対し縦幅が短く紙質が柔らかい、このため殆ど支えがなくとも開いたページが閉じることがない。Ｃはポケット英和辞典のように軽量で横幅が小さい。Ｄは事典で分厚く重い。Ｅは辞典のように厚く横幅が小さい。一般には横幅が小さいほど閉じやすく固定具を必要とする。
【０００９】  図１に示すように台座４の両端から伸びた把持部材１で開いた本の両端を把持することで上表に掲げる特徴的な文献すべてにページ固定が可能であって重りを使う必要がなかった。また、把持部７がリング状にかみ合うことで分厚い本の場合も掴みやすい。さらにまた、把持部７の一方の見開き側に接する面がテフロン表面８などの滑性に富んだ材料を用いることにより片方の手で本を掴みめくる一枚をテフロン面８から滑らせて引き抜き反対側の把持部７を開き固定することで簡単にページをめくることができる。
【００１０】  台座１と引を出し台座５の各々と把持部材１を連結する引きばね３は、開いた本を固定した時の両側の力を分散し調整する機能を果たす。さらに引き出し台座５は、引き出したり入れたりして本の大きさに合わせて調整できる。このとき引き出しの出し入れをややきつくすることでバネの力を使い開いた本を横方向に引っ張り開いた本を平らにし読みやすくできる。
【発明の効果】
【００１１】  上述したように本発明は、紙質が硬く横幅が狭くてページの固定が難しい本でも両側に重りを使ったり、また固定する棒も必要ない。ページをめくるにも把持部７の一方の表面をテフロンなどで滑りやすくすることでそこから引き抜き簡単にページをめくることができる。さらに、ブックスタンドや本を傾ける場合にも台座自体をそれぞれの台に固定すればよい。
【発明の実施するための最良の形態】
【００１２】  本発明の実施の形態を図１〜図３に基づいて説明する。
図１は組立全体図を示し、図２は実際に把持部材１を本に挟んだ場合の片側を示し、図３はさらに両側を挟んで固定した図を示している。
実際に本のページを固定する方法を図に基づいて説明する。まず本を開き固定するページの両側に各々の掴み部２で把持部７を開いて挟む。このとき本の大きさにより引き出し台座５を引き出し調節する。また本を開いたときそのページが山なりになり読みにくくなったら横に引き出し調節する。
【００１３】  次のページを開くには、一枚を掴みその下を別の手で持ち一枚の方を滑りやすい材料のテフロン表面８を滑らせて引き抜く。滑りやすさとバネの力の関係が重要で滑りすぎると固定の際すり抜けてしまうので調整が必要である。引きばねの力としては線径０．５、外径４．０、全長２８（各ｍｍ）のステンレス製が適当である。
図１において、台座４の大きさは縦８０ｍｍ、横２７０ｍｍで引き出し台座５は縦４０ｍｍで、横は最大に引き出した時の台座４と引き出し台座５の両端が４００ｍｍで一般に流通する殆ど全ての本に対応で来る。
【図面の簡単な説明】
【００１４】
【図１】本発明の組立図
【図２】開いた本のページを片側の把持部材で固定した実施図
【図３】開いた本のページを両方で固定した全体図
【符号の説明】
【００１５】  １  把持部材
３  引きばね
４  台座
５  引き出し台座
７  把持部
８  テフロン表面
【図１】
2013169789.tif 000004
【図２】
2013169789.tif 000005
【図３】
2013169789.tif 000006